(57)【要約】【課題】複雑な構成が不要で、意匠性を向上させた送風装置を提供すること目的とする。【解決手段】給気送風部３と、グリルベース１２と、を備えた送風装置７であって、グリルベース１２は、給気流入口２３と、第１空間１６と、第２空間１７と、第３空間１８と、を含み、第１空間１６に、第２空間１７に向かって湾曲する第１湾曲部１９を備え、第２空間１７は、給気流入口から流入した空気が吹き出される給気吹出口１５を備え、第３空間１８は、給気吹出口１５に対して垂直方向に延びる第１壁部２１を備えた送風装置７を得られる。【選択図】図４
2019100587.tif 000002
【特許請求の範囲】
【請求項１】
給気送風部と、グリルベースと、を備えた送風装置であって、
前記グリルベースは、給気流入口と、第１空間と、第２空間と、第３空間と、を含み、
前記第１空間は、前記第２空間に向かって湾曲する第１湾曲部を含み、
前記第２空間は、前記給気流入口から流入した空気が吹き出される給気吹出口を含み、
前記第３空間は、前記給気吹出口に対して垂直方向に延びる第１壁部を含み、
前記第１空間は、前記第２空間を介して前記第３空間と対向し、
前記給気送風部により給気吸込口から吸い込まれた空気は、前記給気流入口を通過した後、前記第１湾曲部および前記第１壁部に沿って前記給気吹出口に案内され、前記給気吹出口から送風され、
前記給気吹出口から送風される空気の方向は、前記第１空間から前記第３空間への方向をベクトル成分として含む斜め方向であることを特徴とする送風装置。
【請求項２】
前記第３空間は、前記第２空間に向かって湾曲する第２湾曲部を含み、
前記第２湾曲部は、前記給気流入口の下流側であって前記第１壁部の上流側に設けられ、
前記給気流入口から流入した空気は、前記第２湾曲部および前記第１壁部に沿って前記給気吹出口に案内されることを特徴とする請求項１に記載の送風装置。
【請求項３】
前記第１空間は、前記給気吹出口に対して垂直方向に延びる第２壁部を含み、
前記第２壁部は、前記第１湾曲部の下流側であって前記給気吹出口の上流側に設けられ、
前記第１壁部の給気流入口側の端部は、前記第２壁部の給気流入口側の端部より上方にあることを特徴とする請求項１または２に記載の送風装置。
【請求項４】
前記第１壁部は、前記給気吹出口から送風される空気の吹き出し方向を示す指示リブを含み、
前記指示リブは、前記給気吹出口近傍に設けられることを特徴とする請求項１から３いずれか１項に記載の送風装置。
【請求項５】
前記第２空間は、前記給気流入口の下流側であって前記給気吹出口の上流側に位置する拡張空間部を含み、
前記給気流入口から流入した空気は、前記拡張空間部を通過して前記給気吹出口に送風されることを特徴とする請求項１から４いずれか１項に記載の送風装置。
【請求項６】
浴室の天井に装置本体が設置される浴室暖房乾燥機であって、
前記装置本体は、吸込口と、排気口と、排気送風部と、を備え、
前記排気送風部は、前記吸込口から吸い込んだ前記浴室の空気を前記排気口を介して屋外に排出し、
前記装置本体は、請求項１から５いずれか１項に記載の送風装置と接続されることを特徴とする浴室暖房乾燥機。
【発明の詳細な説明】
【技術分野】
【０００１】
本発明は、浴室に使用される送風装置およびこれを備えた浴室暖房乾燥機に関するものである。
【背景技術】
【０００２】
従来、この種の浴室暖房乾燥機は、浴室の天井に設置され、浴室内の暖房や衣類の乾燥に用いるものが知られている（例えば、特許文献１参照）。
【０００３】
以下、浴室暖房乾燥機について図１１および図１２を参照しながら説明する。
【０００４】
図１１に示すように浴室暖房乾燥機の装置本体１１１は浴室１０１の天井１０２に設置され、装置本体１１１は、浴室１０１の空気を吸い込む吸込み口１２０と、吸込んだ空気を浴室１０１に吹き出す吹出し口１２９を有している。また、図１２に示すように、吹出し口１２９には吹出し方向を切り替える整流板１３０と、を有し、浴室内に送風する。
【先行技術文献】
【特許文献】
【０００５】
【特許文献１】特許第４５７２７１６号公報
【発明の概要】
【発明が解決しようとする課題】
【０００６】
このような従来の浴室暖房乾燥機においては、吹き出し口から風を吹き出す際の風向を決めるのには、整流板のような構造が必要であり、構造が複雑であった。また、手前に整流板があるため、意匠性を損なうという課題があった。
【０００７】
そこで本発明は、上記従来の課題を解決するものであり、複雑な構造が不要で、意匠性を向上させた送風装置を提供することを目的とする。
【課題を解決するための手段】
【０００８】
そして、この目的を達成するために、本発明の一態様に係る送風装置は、給気送風部と、グリルベースと、を備えた送風装置であって、前記グリルベースは、給気流入口と、第１空間と、第２空間と、第３空間と、を含み、前記第１空間は、前記第２空間に向かって湾曲する第１湾曲部を含み、前記第２空間は、前記給気流入口から流入した空気が吹き出される給気吹出口を含み、前記第３空間は、前記給気吹出口に対して垂直方向に延びる第１壁部を含み、前記第１空間は、前記第２空間を介して前記第３空間と対向し、前記給気送風部により給気吸込口から吸い込まれた空気は、前記給気流入口を通過した後、前記第１湾曲部および前記第１壁部に沿って前記給気吹出口に案内され、前記給気吹出口から送風され、前記給気吹出口から送風される空気の方向は、前記第１空間から前記第３空間への方向をベクトル成分として含む斜め方向としたものであり、これにより所期の目的を達成するものである。
【発明の効果】
【０００９】
本発明によれば、複雑な構造が不要で、意匠性を向上させた送風装置を提供できる。
【図面の簡単な説明】
【００１０】
【図１】本発明の実施の形態２の送風装置と浴室暖房乾燥機を浴室に設置した状態を示す側面図
【図２】本発明の実施の形態１の送風装置を示す構成図
【図３】同送風装置の吹出しグリル部を示す構成断面図
【図４】同送風装置の吹出しグリル部を示す構成断面図
【図５】同送風装置の吹出しグリル部を示す構成断面図
【図６】同送風装置の吹出しグリル部を示す構成断面図
【図７】同送風装置の風の流れを示す構成断面図
【図８】（ａ）同送風装置の吹出しグリル部を示す斜視図（ｂ）同送風装置の吹出しグリル部を示す斜視図
【図９】（ａ）同送風装置のグリルベースを示す構成断面図（ｂ）同送風装置のグリルベースを示す構成断面図
【図１０】本発明の実施の形態２の浴室暖房乾燥機を示す構成図
【図１１】従来の浴室暖房乾燥機を示す構成図
【図１２】従来の浴室暖房乾燥機の吹出し口を示す構成図
【発明を実施するための形態】
【００１１】
本発明の一態様に係る送風装置は、給気送風部と、グリルベースと、を備えた送風装置であって、前記グリルベースは、給気流入口と、第１空間と、第２空間と、第３空間と、を含み、前記第１空間は、前記第２空間に向かって湾曲する第１湾曲部を含み、前記第２空間は、前記給気流入口から流入した空気が吹き出される給気吹出口を含み、前記第３空間は、前記給気吹出口に対して垂直方向に延びる第１壁部を含み、前記第１空間は、前記第２空間を介して前記第３空間と対向し、前記給気送風部により給気吸込口から吸い込まれた空気は、前記給気流入口を通過した後、前記第１湾曲部および前記第１壁部に沿って前記給気吹出口に案内され、前記給気吹出口から送風され、前記給気吹出口から送風される空気の方向は、前記第１空間から前記第３空間への方向をベクトル成分として含む斜め方向である、という構成を有する。
【００１２】
これにより、グリルベース内部の第１壁部および第１湾曲部によって、グリルベースに流入した空気に風速の差が生まれ、風が斜め方向に吹き出すこととなり、フィンなどの構造物を用いずに風向を定めることができるという効果を有する。また、フィンなどの構造物が不要となることで、グリルベースの掃除等のお手入れが容易となる効果を有する。
【００１３】
また、前記第３空間は、前記第２空間に向かって湾曲する第２湾曲部を含み、前記第２湾曲部は、前記給気流入口の下流側であって前記第１壁部の上流側に設けられ、前記給気流入口から流入した空気は、前記第２湾曲部および前記第１壁部に沿って前記給気吹出口に案内される、という構成としてもよい。
【００１４】
これにより、第１壁部の上流に湾曲形状を有する第２湾曲部を備え、給気流入口から流入した空気は第２湾曲部の湾曲形状に沿って給気吹出口に案内されることとなり、圧力損失を小さくできるという効果を有する。
【００１５】
また、前記第１空間は、前記給気吹出口に対して垂直方向に延びる第２壁部を含み、前記第２壁部は、前記第１湾曲部の下流側であって前記給気吹出口の上流側に設けられ、前記第１壁部の給気流入口側の端部は、前記第２壁部の給気流入口側の端部より上方にある、という構成としてもよい。
【００１６】
これにより給気吹出口に対して垂直方向に延びる第２壁部を有し、第１壁部より第２壁部のほうが短いことで、吹き出される風の垂直成分が増加することとなるので、より遠方へ送風することができるという効果を有する。
【００１７】
また、前記第１壁部は、前記給気吹出口から送風される空気の吹き出し方向を示す指示リブを含み、前記指示リブは、前記給気吹出口近傍に設けられる、という構成としてもよい。
【００１８】
これにより、第１壁部は、給気吹出口から送風される空気の吹き出し方向を示す指示リブを有することとなるので、取り付け後の風向確認が容易になるという効果を有する。
【００１９】
また、前記第２空間は、前記給気流入口の下流側であって前記給気吹出口の上流側に位置する拡張空間部を含み、前記給気流入口から流入した空気は、前記拡張空間部を通過して前記給気吹出口に送風される、という構成としてもよい。
【００２０】
これにより、第２空間に拡張空間部を有し、給気流入口から流入した空気は、拡張空間部を通過して給気吹出口に送風されるためこととなるので、長手方向への送風量が向上し、より広範囲に送風ができるという効果を有する。
【００２１】
また、浴室の天井に装置本体が設置される浴室暖房乾燥機であって、前記装置本体は、吸込口と、排気口と、排気送風部と、を備え、前記排気送風部は、前記吸込口から吸い込んだ前記浴室の空気を前記排気口を介して屋外に排出し、前記装置本体は、上述の送風装置と接続される浴室暖房乾燥機、という構成としてもよい。
【００２２】
これにより、送風装置による送風時に浴室暖房乾燥機を連動して換気運転を行うことが可能となり、当該換気運転によって浴室内を負圧に保ち、浴室内の高湿の空気が浴室外に漏れることを抑制できるという効果を有する。
【００２３】
以下、本発明の実施の形態について図面を参照しながら説明する。
【００２４】
（実施の形態１）
まず、図１および図２を用いて、本発明の実施の形態１に係る送風装置７の構成について説明する。
【００２５】
図１は実施の形態１に係る送風装置７の構成図、図２は送風装置７を浴室１に設置した状態を示す構成図である。
【００２６】
図１に示すように、送風装置７は、給気送風部３と、吹出しグリル部８と、を含む。
【００２７】
また、送風装置７は、図２に示すように、浴室１の浴室天井２の裏（以下、天井裏）に設置される。
【００２８】
給気吸込口６は、浴室１に隣接する他室の他室天井５に設置される。
【００２９】
また、図１に示すように、吹出しグリル部８は、エルボ１１と接続される。
【００３０】
給気送風部３は、吹出し側ダクト９およびエルボ１１を介して吹出しグリル部８と、吸込み側ダクト１０を介して給気吸込口６とそれぞれ接続される。
【００３１】
給気送風部３は、例えば遠心送風機を備える。給気送風部３により給気吸込口６から吸い込まれた空気は、吸込み側ダクト１０、吹出し側ダクト９、およびエルボ１１を通過して、吹出しグリル部８へ送風される。そして、送風された空気は、吹出しグリル部８の給気吹出口１５から浴室１に吹き出される。
【００３２】
図３は吹出しグリル部８の設置状態を示した構成図、図４は図３のＡ−Ａ断面を示す断面図である。
【００３３】
吹出しグリル部８は、グリルベース１２と、化粧パネル１３と、を含む。
【００３４】
グリルベース１２は、浴室１の天井裏に設置され、浴室１側から例えばねじにて浴室天井２に固定される。
【００３５】
化粧パネル１３は、浴室１側から例えばねじ（図示せず）にてグリルベース１２に取り付けられる。化粧パネル１３を設けることにより、設置状態における浴室１側から見た意匠性が向上する。
【００３６】
グリルベース１２の長辺側の一部には変形を抑えるために補強リブ２９を備えている。
【００３７】
図４に示すようにグリルベース１２は、連結部１４にてエルボ１１と接続される。
【００３８】
また、グリルベース１２は、給気流入口２３と、給気吹出口１５と、を有する。
【００３９】
給気流入口２３は、エルボ１１との接続部（連結部１４とエルボ１１が連結する部分）に設けられる。すなわち、グリルベース１２とエルボ１１が接続された状態で、連結部１４で囲われる領域が給気流入口２３となる。
【００４０】
給気吹出口１５は、浴室天井２との接続部（浴室天井２とグリルベース１２が接触する部分）に設けられる。また、給気吹出口１５の形状は、例えば矩形である。
【００４１】
給気流入口２３は、給気吹出口１５より上方に設けられてもよい。
【００４２】
以下、説明において給気流入口２３側を上流側（上方側）、給気吹出口１５側を下流側（下方側）として説明を行うこととする。
【００４３】
グリルベース１２の内部は、形状の違いから、給気吹出口１５を含む第２空間１７を中心として、一方を第１空間１６、反対側を第３空間１８と分けることができる。すなわち、グリルベース１２は、第１空間１６と、第２空間１７と、第３空間１８と、を含む。
【００４４】
第１空間１６は、第１湾曲部１９を含む。
【００４５】
第１湾曲部１９は、第２空間１７、特に給気吹出口１５に向かって風を案内するように湾曲する。
【００４６】
第２空間１７は、給気流入口２３から流入した空気が吹出される給気吹出口１５を含む。
【００４７】
第３空間１８は、給気吹出口１５に対して垂直方向に延びる第１壁部２１を含む。
【００４８】
第１壁部２１は、浴室天井２に対して垂直な壁面である。
【００４９】
第１空間１６は、第２空間１７を介して第３空間１８と対向する。
【００５０】
給気流入口２３は、第１空間１６、第２空間１７および第３空間１８の上部に設けられることとなる。
【００５１】
このような構成によれば、給気送風部３により給気吸込口６から吸い込まれた空気は、給気流入口２３を通過した後、第１湾曲部１９および第１壁部２１に沿って給気吹出口１５に案内され、給気吹出口１５から送風される。給気吹出口１５から送風される空気の方向は、第１湾曲部１９によって斜め方向のベクトル成分が発生し、第１壁部２１に沿った垂直方向のベクトルの風とぶつかる。ここで、第１湾曲部１９と第１壁部２１では、緩やかに湾曲している第１湾曲部１９の方が、圧力損失が低いため風速が早くなる。したがって、第１壁部２１を沿って流れる垂直方向のベクトルの風を斜め方向に曲げることとなる。すなわち、給気吹出口１５から送風される空気の方向は、第１空間１６から第３空間１８への方向をベクトル成分として含む斜め方向となる。これにより、フィンなどの構造物を用いずに、すなわち、構造を複雑にすることなく風向を定めることができる。また、フィンなどの構造物が不要となることで、意匠性が向上する。さらに、フィンなどの構造物が不要となることで、グリルベース１２のお手入れが容易となる。
【００５２】
なお、ここでいう垂直とは、完全な垂直だけでなく、±１０°以内で傾いた場合も垂直の範囲とし、同様の効果を奏する。
【００５３】
また、図５に示すように、第３空間１８において、給気流入口２３の下流側（下方）かつ第１壁部２１の上流側（上方）に第１湾曲部１９よりも平坦な（湾曲が緩やかな）第２湾曲部２０を設けてもよい。第２湾曲部２０は、第２空間１７、特に給気吹出口１５に向かって風を案内するように湾曲する。
【００５４】
給気流入口２３から流入した空気は、第２湾曲部２０および第１壁部２１に沿って給気吹出口１５に送風される。このとき、第２湾曲部２０により、第３空間１８を流れる風の圧力損失が低減されることとなるが、第２湾曲部２０は第１湾曲部１９よりも平坦なため、第１湾曲部１９の方が圧力損失が低くなり、風向においては同様の効果を得つつ、全体の圧力損失を低減できる。
【００５５】
また、図６に示すように、第１空間１６において、第１湾曲部１９の下流側かつ給気吹出口１５の上流側に、給気吹出口１５に対して垂直方向に延びる第２壁部２２を設けてもよい。このとき、第２壁部２２は、第１壁部２１に対向する位置に設けられ、第２壁部の給気流入口側の端部３０は、第１壁部の給気流入口側の端部３２よりも下流側（下方）に位置している。すなわち、第１壁部２１の上下方向の幅は、第２壁部２２の上下方向の幅より大きい。このような構成によれば、第２壁部２２に沿って送風されることで給気吹出口１５から吹出される風の垂直成分が増加するため、風をより遠方へ送風することができる。
【００５６】
なお、第２壁部２２は、第２空間１７、特に給気吹出口１５に向かって傾斜していてもよい。このとき第２壁部２２は、第１湾曲部１９に沿って送風された風を給気吹出口１５に向かって斜めに案内することとなり、斜め方向への送風をより効率的に行うことができる。
【００５７】
次に、図８を参照しながら指示リブ３１について説明する。なお、図８（ｂ）に示す吹出しグリル部８は、図８（ａ）の状態の吹出しグリル部８を１８０度回転したものである。
【００５８】
図８（ａ）に示すように、第１壁部２１は、給気吹出口１５から送風される空気の吹き出し方向を示す、例えば高さ２ｍｍ程度の指示リブ３１を有してもよい。このとき、指示リブ３１は、第１壁部２１に設けられることで吹き出される風が向かう側に指示リブ３１が位置することとなる。そのため、使用者が浴室１側から指示リブ３１を指で触ることで風向がわかり、取り付け後の風向確認が容易になる。
【００５９】
なお、指示リブ３１は、給気吹出口１５の近傍に設けられていてもよい。これにより、吹出しグリル部８を浴室天井２に取り付けた状態において、指示リブ３１を浴室１から視認できるため、取り付け後の風向確認がより容易になる。
【００６０】
次に、図９を参照しながら拡張空間部２４について説明する。なお、図９（ｂ）に示す吹出しグリル部８は、図９（ａ）の状態の吹出しグリル部８を１８０度回転したものである。
【００６１】
図９（ａ）および（ｂ）に示すように、第２空間１７の端部に拡張空間部２４を設けてもよい。
【００６２】
拡張空間部２４はグリルベース１２内部の空き空間であり、給気流入口２３の下流側であって、給気吹出口１５の上流側、例えば給気吹出口１５の長手側端部の上方に設けられる。このとき、給気流入口２３から流入した風が拡張空間部２４を通過して給気吹出口１５に送風されることとなり、長手方向への送風量が向上するので、広範囲に送風することができる。
【００６３】
なお、拡張空間部２４は、第１壁部２１および第１湾曲部１９の幅方向における端部と接していてもよい。
【００６４】
なお、本実施の形態１では連結部１４は円形としたが、形状はこれに限られず、例えば矩形とした場合でも同様の効果を有する。
【００６５】
（実施の形態２）
続いて、送風装置７を備えた浴室暖房乾燥機４について説明する。
【００６６】
図１０に浴室天井２に設置される浴室暖房乾燥機４の構成図を示す。
【００６７】
浴室暖房乾燥機４は、浴室１の天井裏に設置され、送風装置７と連動線２５にて接続されている（図１参照）。
【００６８】
浴室暖房乾燥機４は、内部に吸込口２６と、排気口２７と、排気送風部２８と、を備えている。
【００６９】
送風装置７が運転を開始し送風を行うと、排気送風部２８も運転を開始し、吸込口２６から吸い込んだ浴室１の空気を排気口２７を介して屋外に排出する構成となっている。
【００７０】
このとき、排気送風部２８により屋外に排気する排気量は、送風装置７での送風量よりも多い設定としてもよい。これにより、浴室１内を負圧に保つことができるため、浴室１内の高湿の空気が浴室１外に漏れることを抑制できる。
【００７１】
なお、浴室暖房乾燥機４と送風装置７は、本実施例では離間して設けられているが、隣接して設けられてもよい。
【００７２】
以上、本発明に係る送風装置および浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７３】
本発明にかかる送風装置は、構造が簡単で意匠性を向上させたものであるので、浴室等で使用される換気装置等に有用である。
【符号の説明】
【００７４】
１    浴室
２    浴室天井
３    給気送風部
４    浴室暖房乾燥機
５    他室天井
６    給気吸込口
７    送風装置
８    吹出しグリル部
９    吹出し側ダクト
１０    吸込み側ダクト
１１    エルボ
１２    グリルベース
１３    化粧パネル
１４    連結部
１５    給気吹出口
１６    第１空間
１７    第２空間
１８    第３空間
１９    第１湾曲部
２０    第２湾曲部
２１    第１壁部
２２    第２壁部
２３    給気流入口
２４    拡張空間部
２５    連動線
２６    吸込口
２７    排気口
２８    排気送風部
２９    補強リブ
３０    第２壁部の給気流入口側の端部
３１    指示リブ
３２    第１壁部の給気流入口側の端部
【図１】
2019100587.tif 000003
【図２】
2019100587.tif 000004
【図３】
2019100587.tif 000005
【図４】
2019100587.tif 000006
【図５】
2019100587.tif 000007
【図６】
2019100587.tif 000008
【図７】
2019100587.tif 000009
【図８】
2019100587.tif 000010
【図９】
2019100587.tif 000011
【図１０】
2019100587.tif 000012
【図１１】
2019100587.tif 000013
【図１２】
2019100587.tif 000014